(57)【要約】      （修正有）【課題】突起部が比較的大きく、突起部を削り取って使用することが難しい変形真珠を、突起部を削り取ることなく利用できる装飾具を提供する。【解決手段】珠部の一部に養殖過程で生成された突起部を有する複数の変形真珠が糸状体３０によって繋がれた装飾具であって、変形真珠は、糸状体を通す貫通孔１１が１本設けられた第１変形真珠１０と、貫通孔２１、２２が並行に２本設けられた第２変形真珠２０とを有し、糸状体を第１変形真珠の貫通孔と第２変形真珠の貫通孔とに交互に通し、複数の第１変形真珠と第２変形真珠とが隣接する真珠と略接触するように繋いでいる。【選択図】図５
0003234819.tif 000002
【実用新案登録請求の範囲】
【請求項１】
珠部の一部に養殖過程で生成された突起部を有する複数の変形真珠が糸状体によって繋がれた装飾具であって、
前記変形真珠は、前記糸状体を通す貫通孔が１本設けられた第１変形真珠と、前記貫通孔が並行に２本設けられた第２変形真珠とを有し、
前記糸状体を前記第１変形真珠の前記貫通孔と前記第２変形真珠の前記貫通孔とに交互に通し、複数の前記第１変形真珠と前記第２変形真珠とが隣接する真珠と略接触するように繋いだ、装飾具。
【請求項２】
前記第２変形真珠に設けられた２本の前記貫通孔に通した前記糸状体に前記第１変形真珠の前記貫通孔を通し、
前記第２変形真珠と前記第１変形真珠とを交互に配置して、前記第２変形真珠の内周側と外周側に前記第１変形真珠を配置した複数連の環状を形成した、請求項１に記載の装飾具。
【請求項３】
前記糸状体を通した前記第１変形真珠と前記第２変形真珠とが環状に繋がれており、
前記第２変形真珠の内周側に位置する前記糸状体に通す前記第１変形真珠の珠部の直径寸法を、前記第２変形真珠の珠部よりも小さい直径寸法とし、外周側に位置する前記糸状体に通す前記第１変形真珠の珠部の直径寸法を、前記第２変形真珠の珠部よりも大きい直径寸法とし、
前記第２変形真珠と前記第１変形真珠とによって複数連の環状を形成した、請求項１に記載の装飾具。
【請求項４】
前記第１変形真珠と前記第２変形真珠とを環状に繋いだ端部に装着金具を備え、
前記第１変形真珠及び前記第２変形真珠を、前記突起部が前記装着金具の方向を向くように前記糸状体に通した、請求項２又は３に記載の装飾具。
【考案の詳細な説明】
【技術分野】
【０００１】
本考案は、変形真珠を用いたネックレス、ブレスレット等の装飾具に関する。
【背景技術】
【０００２】
従来、アコヤ貝を母貝として養殖された真珠は、母貝から取り出された後に、所定の研磨や水洗い等の処理を経て装飾具に利用される。真珠は、品質に応じて上級珠とスソ珠（この明細書及び実用新案登録請求の範囲の書類中では、「スソ珠」を「変形真珠」という）とに分類される。上級珠は、養殖過程で突起部が生成されていないものであリ、略球状の珠部から成るものである。変形真珠は、養殖過程において珠部の一部に突起部が生成されたものである。変形真珠は、突起部を削り取って装飾具の一部に使用する場合や、突起部を装飾金具等で隠して装飾具に使用される場合などがある。
【０００３】
この種の先行技術として、変形真珠の珠部に挿通孔を設け、この挿通孔に糸状体を通して環状に繋いだ装飾具がある（例えば、特許文献１参照）。
【先行技術文献】
【特許文献】
【０００４】
【特許文献１】実用新案登録第３１２２９６９号公報
【考案の概要】
【考案が解決しようとする課題】
【０００５】
しかし、上記突起部を有する変形真珠は、真珠の全生産量に対して比較的多い。このため、変形真珠を装飾具に使用するために突起部を削り取って仕上げる作業に時間と労力を要する。よって、変形真珠を装飾具として有効に利用できる更なる手法が望まれている。
【０００６】
そこで、本考案者は、突起部を有する変形真珠を利用した斬新なデザインの装飾具について鋭意研究した。
【課題を解決するための手段】
【０００７】
本考案に係る装飾具は、珠部の一部に養殖過程で生成された突起部を有する複数の変形真珠が糸状体によって繋がれた装飾具であって、前記変形真珠は、前記糸状体を通す貫通孔が１本設けられた第１変形真珠と、前記貫通孔が並行に２本設けられた第２変形真珠とを有し、前記糸状体を前記第１変形真珠の前記貫通孔と前記第２変形真珠の前記貫通孔とに交互に通し、複数の前記第１変形真珠と前記第２変形真珠とが隣接する真珠と略接触するように繋いでいる。この明細書及び実用新案登録請求の範囲の書類中における「略接触する」は、糸状体に通した変形真珠が、常時、隣接する変形真珠に接触している状態のみではなく、糸状体によって繋げられた変形真珠の偏り等によって、隣接する変形真珠から僅かに離間する状態も含む。
【０００８】
この構成により、糸状体を第１変形真珠に設けられた１本の貫通孔と第２変形真珠に設けられた２本の貫通孔とに交互に通し、その糸状体に通した第１変形真珠と第２変形真珠とが略接触するように繋ぐことで、複数の変形真珠が連なった装飾具を形成することができる。これにより、変形真珠を利用して斬新なデザインのネックレス、ブレスレット等の装飾具を製作することができる。
【０００９】
また、前記第２変形真珠に設けられた２本の前記貫通孔に通した前記糸状体に前記第１変形真珠の前記貫通孔を通し、前記第２変形真珠と前記第１変形真珠とを交互に配置して、前記第２変形真珠の内周側と外周側に前記第１変形真珠を配置した複数連の環状を形成してもよい。このように構成すれば、変形真珠を用いて、第２変形真珠の内周側と外周側とに第１変形真珠が連なった三連の環状となった装飾具を形成することができる。
【００１０】
また、前記糸状体を通した前記第１変形真珠と前記第２変形真珠とが環状に繋がれており、前記第２変形真珠の内周側に位置する前記糸状体に通す前記第１変形真珠の珠部の直径寸法を、前記第２変形真珠の珠部よりも小さい直径寸法とし、外周側に位置する前記糸状体に通す前記第１変形真珠の珠部の直径寸法を、前記第２変形真珠の珠部よりも大きい直径寸法とし、前記第２変形真珠と前記第１変形真珠とによって複数連の環状を形成してもよい。このように構成すれば、第２変形真珠の内周側で繋がれる第１変形真珠の周方向寸法を第２変形真珠の周方向寸法よりも小さくでき、第２変形真珠の外周側で繋がれる第１変形真珠の周方向寸法を第２変形真珠の周方向寸法よりも大きくできる。よって、第２変形真珠の内周側と外周側とで環状に繋がれた第１変形真珠により、ほぼ同一面で複数連の環状となった装飾具を形成できる。
【００１１】
また、前記第１変形真珠と前記第２変形真珠とを環状に繋いだ端部に装着金具を備え、前記第１変形真珠及び前記第２変形真珠を、前記突起部が前記装着金具の方向を向くように前記糸状体に通してもよい。このように構成すれば、例えば、装飾具がネックレスの場合、変形真珠の突起部が上方を向くように繋がれるので、使用時に前方から突起部が見えにくくなり変形真珠で豪華な美観を奏することができる。
【考案の効果】
【００１２】
本考案によれば、突起部を有する変形真珠を利用して、斬新なデザインの装飾具を得ることが可能となる。
【図面の簡単な説明】
【００１３】
【図１】図１は、本考案の一実施形態に係る装飾具に用いる変形真珠の一例を示す正面図である。
【図２】図２は、図１に示す変形真珠を加工した第１変形真珠の正面図である。
【図３】図３は、図１に示す変形真珠を加工した第２変形真珠の正面図である。
【図４】図４は、図２に示す第１変形真珠と図３に示す第２変形真珠を糸状体に通している状態を示す正面図である。
【図５】図５は、図４に示す第１変形真珠と第２変形真珠とを略接触させた状態を示す正面図である。
【図６】図６は、図５に示すように糸状体を通して完成させた装飾具を示す正面図である。
【考案を実施するための形態】
【００１４】
以下、本考案の一実施形態を図面に基づいて説明する。以下の実施形態では、装飾具５０の一例としてネックレスを例に説明する。また、以下の実施形態において図示する変形真珠１は、作図上同様の形態の変形真珠１を図示して説明する。変形真珠１の形態は様々であり、１つの装飾具５０は様々な形態の変形真珠１を用いて製作される。
【００１５】
（変形真珠の構成）
図１は、一実施形態に係る装飾具５０に用いる変形真珠１の一例を示す正面図である。なお、図１は、変形真珠１の突起部３を概略的に記載している。
【００１６】
この実施形態の変形真珠１は、核を有する略球状の珠部２と、珠部２の一部から突出する突起部３とを有する。図示する変形真珠１は、突起部３が比較的小さいものが示されている。なお、変形真珠１は、養殖過程において自然界で突起部３が形成されるため、突起部３の形状、大きさは個々の変形真珠１によって異なり、図示する変形真珠１はその一例である。変形真珠１の突起部３は、この例に限定されるものではない。
【００１７】
（変形真珠の加工）
図２は、図１に示す変形真珠１を加工した第１変形真珠１０の正面図である。図３は、図１に示す変形真珠１を加工した第２変形真珠２０の正面図である。
【００１８】
図２に示す第１変形真珠１０には、珠部２の中心Ｏから突起部３の略中心を通る軸線Ｘとほぼ平行に１本の貫通孔１１が設けられている。貫通孔１１は、糸状体（例えば、ワイヤ）を通すための細い孔（例えば、直径１ｍｍ程度）である。貫通孔１１は、珠部２の中心Ｏから突起部３の略中心を通る軸線Ｘから所定距離Ｗの位置に設けられている。貫通孔１１を設ける所定距離Ｗは、隣に繋げる第２変形真珠２０の珠部２の直径寸法Ｄ、装飾具５０の種類、大きさなどに応じて決定される。貫通孔１１の位置は、この実施形態に限定されるものではない。
【００１９】
図３に示す第２変形真珠２０には、珠部２の中心Ｏから突起部３の略中心を通る軸線Ｘとほぼ平行に２本の貫通孔２１，２２が設けられている。２本の貫通孔２１，２２は、並行に設けられていればよい。貫通孔２１，２２は、糸状体（例えば、ワイヤ）を通すための細い孔（例えば、直径１ｍｍ程度）である。貫通孔２１，２２は、珠部２の中心Ｏと突起部３の略中心を通る軸線Ｘから所定距離Ｗの位置に設けられている。貫通孔２１，２２を設ける所定距離Ｗは、隣に繋げる第１変形真珠１０の珠部２の直径寸法Ｄ、装飾具５０の種類、大きさなどに応じて決定される。貫通孔２１，２２の位置は、この実施形態に限定されるものではない。
【００２０】
第１変形真珠１０及び第２変形真珠２０における所定距離Ｗは、例えば、隣の珠部２と接触するように繋いだときに、突起部３が隣の珠部２に当接しない距離に設定される。
【００２１】
また、第１変形真珠１０及び第２変形真珠２０は、いずれも軸線Ｘとほぼ平行に貫通孔１１，２１，２２を設けているが、貫通孔１１，２１，２２は、軸線Ｘに対して多少傾いていてもよい。
【００２２】
（変形真珠を繋いだ状態）
図４は、図２に示す第１変形真珠１０と図３に示す第２変形真珠２０を糸状体３０に通している状態を示す正面図である。図５は、図４に示す第１変形真珠１０と第２変形真珠２０とを略接触させた状態を示す正面図である。この例は、三連の環状のネックレスの装飾具５０を製作する例である。
【００２３】
図４に示すように、第２変形真珠２０は、２本の貫通孔２１，２２に２本の糸状体３０がそれぞれ通される。この糸状体３０には、第１変形真珠１０に設けられた１本の貫通孔１１がそれぞれ通される。その後、第２変形真珠２０の２本の貫通孔２１，２２と、第１変形真珠１０の１本の貫通孔１１とが交互に通される。糸状体３０は、第１変形真珠１０と第２変形真珠２０とを繋ぐためのワイヤ、糸、紐等を用いることができる。複数の第１変形真珠１０と第２変形真珠２０は、所定長さになるまで糸状体３０に通される。
【００２４】
また、この実施形態では、第１変形真珠１０及び第２変形真珠２０を、突起部３が図の上方を向くように糸状体３０に通している。これにより、例えば、ネックレスを製作する場合には、所定長さの中央部分で第１変形真珠１０及び第２変形真珠２０の突起部３が反対を向くようにすれば、環状に繋いだときに突起部３が上方を向くようにできる。このようにすれば、使用時に突起部３が装着金具４０の方向を向き、前方から突起部３が見えにくくなって変形真珠で豪華な美観を奏することができる。
【００２５】
そして、図５に示すように、２本の糸状体３０に交互に通された第１変形真珠１０と第２変形真珠２０とは、それぞれが略接触するように繋がれる。第１変形真珠１０と第２変形真珠２０との略接触は、接触した状態の他、例えば、環状に形成されたネックレスを持ったときに自重で変形して第１変形真珠１０と第２変形真珠２０との間が僅かに離間するような略接触した状態を含む。
【００２６】
（装飾具の構成）
図６は、図５に示すように糸状体３０を通して完成させた装飾具５０を示す正面図である。この実施形態の装飾具５０は、突起部３を有する多数の変形真珠１を糸状体３０によって環状に繋いだネックレスである。この実施形態の装飾具５０は、珠部２の直径寸法Ｄに対して突起部３の突出量が比較的小さく、同様の色の変形真珠１が用いられている。装飾具５０は、多数の変形真珠１を繋いだ糸状体３０の端部に装着金具４０が設けられている。装着金具４０は、一般的な装飾具５０に用いられている物を用いることができる。装着金具４０の詳細な説明は省略する。
【００２７】
また、第１変形真珠１０及び第２変形真珠２０の突起部３が装着金具４０の方向を向くように糸状体３０に通されているため、環状に繋いだときに突起部３が上方を向いて使用時に前方から突起部３が見えにくくなって変形真珠で豪華な美観を奏することができる。
【００２８】
また、この実施形態では、第２変形真珠２０の内周側に位置する糸状体３０に通す第１変形真珠１０の珠部２の直径寸法Ｄを、第２変形真珠２０の珠部２よりも小さい直径寸法Ｄとし、外周側に位置する糸状体３０に通す第１変形真珠１０の珠部２の直径寸法Ｄを、第２変形真珠２０の珠部２よりも大きい直径寸法Ｄとしている。これにより、第２変形真珠２０の内周側で繋がれる第１変形真珠１０の周方向寸法を第２変形真珠２０の周方向寸法よりも小さくし、第２変形真珠２０の外周側で繋がれる第１変形真珠１０の周方向寸法を第２変形真珠２０の周方向寸法よりも大きくしている。これにより、第１変形真珠１０と第２変形真珠２０とが環状に繋がれた装飾具５０は、正面視で第１変形真珠１０と第２変形真珠２０とが同一面状となった複数連のネックレスとなっている。よって、第２変形真珠２０と第１変形真珠１０とで、斬新なデザインの三連の環状となったネックレスを形成することができる。このように、変形真珠１を用いて複数連の豪華な印象を与える装飾具５０を提供することが可能となる。
【００２９】
（その他の変形例）
上記した実施形態では、三連の環状となったネックレスの装飾具５０を例に説明したが、三連の環状に限定されるものではない。例えば、第２変形真珠２０を二連の環状に繋ぎ、その内周側と外周側とに第１変形真珠１０を環状に繋ぐことで、四連の環状となったネックレスを形成することができる。第１変形真珠１０と第２変形真珠２０を繋ぐ組み合わせは任意に可能であり、これらの実施形態に限定されるものではない。ネックレスの場合、より多くの複数連とすることで、よりボリューム感のある豪華な印象を与える装飾具５０とすることができる。
【００３０】
以上のように、上記装飾具５０よれば、養殖過程で生成された突起部３を有する変形真珠１を、突起部３を削り取ることなくそのままの状態で装飾具５０に利用できるため、材料費が安価で、装飾性の高い装飾具５０を提供することが可能となる。
【００３１】
しかも、従来、突起部３を有することで下級品として扱われていた「スソ珠」を有効利用できるため、安価な変形真珠１の付加価値を高めることが可能となる。
【００３２】
なお、装飾具５０は上記した実施形態に限定されるものではない。例えば、第１変形真珠１０と第２変形真珠２０とを円環状に繋げてブレスレット等に構成してもよい。また、第１変形真珠１０と第２変形真珠２０とを連ねた直線状の装飾具とすることもできる。
【００３３】
また、上記した実施形態では、珠部２がほぼ同一の直径寸法Ｄの第１変形真珠１０と第２変形真珠２０を用いた例を説明したが、珠部２の直径寸法Ｄを大きく異ならせることも可能であり、同一直径の珠部２を一様に用いた装飾具５０に限られない。
【００３４】
また、上記した実施形態は一例を示しており、本考案の要旨を損なわない範囲での種々の変更は可能であり、本考案は上記した実施形態に限定されるものではない。
【符号の説明】
【００３５】
１  変形真珠
２  珠部
３  突起部
１０  第１変形真珠
１１  貫通孔
２０  第２変形真珠
２１  貫通孔
２２  貫通孔
３０  糸状体（ワイヤ）
４０  装着金具
５０  装飾具（ネックレス）
Ｄ  直径寸法
Ｏ  中心
Ｗ  所定距離
Ｘ  軸線
【図１】
0003234819.tif 000003
【図２】
0003234819.tif 000004
【図３】
0003234819.tif 000005
【図４】
0003234819.tif 000006
【図５】
0003234819.tif 000007
【図６】
0003234819.tif 000008